【事件の表示】
　国際登録第１１２８５０７号に係る国際商標登録出願の拒絶査定に対する審判事件について，次のとおり審決する。
【結論】
　本件審判の請求は、成り立たない。
【理由】
１　本願商標
　本願商標は、「Ｚ１９７５」の欧文字及び数字の組合せを普通に用いられる方法をもって表してなるものであり、第３類及び第２５類に属する日本国を指定する国際登録において指定された商品を指定商品として、２０１１年１２月３０日にＥｕｒｏｐｅａｎ　Ｕｎｉｏｎにおいてした商標登録出願に基づくパリ条約第４条による優先権を主張し、２０１２年（平成２４年）６月２９日に国際商標登録出願されたものであり、その後、本願の指定商品については、平成２５年６月２８日付け手続補正書をもって、第３類「Ｃｌｅａｎｉｎｇ　ｐｒｅｐａｒａｔｉｏｎｓ；ｓｏａｐ；ｐｅｒｆｕｍｅｒｙ，ｅｓｓｅｎｔｉａｌ　ｏｉｌｓ，ｃｏｓｍｅｔｉｃｓ，ｈａｉｒ　ｌｏｔｉｏｎｓ；ｓｈｏｅ　ｐｏｌｉｓｈ，ｃｒｅａｍ　ａｎｄ　ｗａｘ；ｄｅｐｉｌａｔｏｒｙ　ｗａｘ；ｓｈａｍｐｏｏｓ；ｃｏｓｍｅｔｉｃ　ｋｉｔｓ；ｈａｉｒ　ｒｅｍｏｖｅｒｓ；ｍａｋｅ−ｕｐ　ｒｅｍｏｖｉｎｇ　ｐｒｅｐａｒａｔｉｏｎｓ；ｄｅｏｄｏｒａｎｔｓ　ｆｏｒ　ｐｅｒｓｏｎａｌ　ｕｓｅ　（ｐｅｒｆｕｍｅｒｙ）；ｌｉｐｓｔｉｃｋ；ｃｏｓｍｅｔｉｃ　ｐｅｎｃｉｌｓ；ｔｉｓｓｕｅｓ　ｉｍｐｒｅｇｎａｔｅｄ　ｗｉｔｈ　ｃｏｓｍｅｔｉｃ　ｌｏｔｉｏｎｓ；ｃｌｅａｎｉｎｇ　ｔｉｓｓｕｅｓ　ｏｒ　ｃｌｏｔｈｓ　ｐｒｅ−ｍｏｉｓｔｅｎｅｄ　ｏｒ　ｉｍｐｒｅｇｎａｔｅｄ　ｗｉｔｈ　ｃｏｓｍｅｔｉｃ　ｌｏｔｉｏｎｓ　ｏｒ　ｗｉｔｈ　ｄｅｔｅｒｇｅｎｔｓ；ａｆｔｅｒ−ｓｈａｖｅ　ｌｏｔｉｏｎｓ；ｌｏｔｉｏｎｓ　ｆｏｒ　ｃｏｓｍｅｔｉｃ　ｕｓｅ；ｍａｋｅ−ｕｐ　ｐｒｅｐａｒａｔｉｏｎｓ；ｎａｉｌ　ｃａｒｅ　ｐｒｏｄｕｃｔｓ；ｂｌｅａｃｈｅｓ　ｆｏｒ　ｃｏｓｍｅｔｉｃ　ｕｓｅ；ｆｌｏｗｅｒ　ｅｘｔｒａｃｔｓ　（ｐｅｒｆｕｍｅｒｙ）；ｉｎｃｅｎｓｅ；ｓｃｅｎｔｅｄ　ｗｏｏｄ；ｄｅｃｏｒａｔｉｖｅ　ｔｒａｎｓｆｅｒｓ　ｆｏｒ　ｃｏｓｍｅｔｉｃ　ｕｓｅ；ｆｒａｇｒａｎｔ　ｐｏｔｐｏｕｒｒｉｓ；ｃｏｓｍｅｔｉｃ　ｐｒｅｐａｒａｔｉｏｎｓ　ｆｏｒ　ｓｌｉｍｍｉｎｇ；ｃｏｓｍｅｔｉｃ　ｐｒｅｐａｒａｔｉｏｎｓ　ｆｏｒ　ｂａｔｈｓ；ｈａｉｒ−ｗａｖｉｎｇ　ｐｒｅｐａｒａｔｉｏｎｓ；ｂａｔｈ　ｓａｌｔｓ，ｎｏｔ　ｆｏｒ　ｍｅｄｉｃａｌ　ｕｓｅ；ｏｉｌｓ　ｆｏｒ　ｔｏｉｌｅｔｒｙ　ｐｕｒｐｏｓｅｓ；ｓｕｎｓｃｒｅｅｎ　ｐｒｅｐａｒａｔｉｏｎｓ；ｃｏｓｍｅｔｉｃ　ｐｒｅｐａｒａｔｉｏｎｓ　ｆｏｒ　ｓｋｉｎ　ｔａｎｎｉｎｇ；ｅａｕ　ｄｅ　ｃｏｌｏｇｎｅ；ｄｅｏｄｏｒａｎｔ　ｓｏａｐｓ；ｔａｌｃｕｍ　ｐｏｗｄｅｒ　ｆｏｒ　ｔｏｉｌｅｔｒｙ　ｐｕｒｐｏｓｅｓ；ｇｒｅａｓｅｓ　ｆｏｒ　ｃｏｓｍｅｔｉｃ　ｕｓｅ；ｓｈａｖｉｎｇ　ｐｒｏｄｕｃｔｓ；ｂｅａｕｔｙ　ｍａｓｋｓ；ｍｕｓｔａｃｈｅ　ｗａｘ；ｈａｉｒ　ｃｏｌｏｒａｎｔｓ；ｅｙｅｂｒｏｗ　ｃｏｓｍｅｔｉｃｓ；ｃｌｅａｎｉｎｇ　ｃｈａｌｋ；ｓｈａｍｐｏｏｓ　ｆｏｒ　ｐｅｔｓ；ｃｏｓｍｅｔｉｃｓ　ｆｏｒ　ａｎｉｍａｌｓ；ｃｏｓｍｅｔｉｃ　ｃｒｅａｍｓ；ｄｉｓｉｎｆｅｃｔａｎｔ　ｓｏａｐｓ；ｓｏａｐ　ｆｏｒ　ｐｒｅｖｅｎｔｉｎｇ　ｆｏｏｔ　ｐｅｒｓｐｉｒａｔｉｏｎ；ｄｅｔｅｒｇｅｎｔｓ　ｏｔｈｅｒ　ｔｈａｎ　ｆｏｒ　ｕｓｅ　ｄｕｒｉｎｇ　ｍａｎｕｆａｃｔｕｒｉｎｇ　ｐｒｏｃｅｓｓｅｓ　ａｎｄ　ｔｈｏｓｅ　ｆｏｒ　ｍｅｄｉｃａｌ　ｕｓｅ；ｃｌｅａｎｓｉｎｇ　ｍｉｌｋｓ；ｄｒｙ−ｃｌｅａｎｉｎｇ　ｐｒｅｐａｒａｔｉｏｎｓ；ｓｃｅｎｔｅｄ　ｗａｔｅｒ；ｐｅｒｆｕｍｅｓ；ｃｏｓｍｅｔｉｃｓ　ｆｏｒ　ｅｙｅｌａｓｈｅｓ；ｓｋｉｎ　ｃａｒｅ　ｃｏｓｍｅｔｉｃｓ；ｍａｋｅ−ｕｐ　ｐｏｗｄｅｒ；ｃｏｓｍｅｔｉｃ　ｄｙｅｓ；ｔｏｉｌｅｔ　ｗａｔｅｒ．」及び第２５類「Ｃｌｏｔｈｉｎｇ，ｆｏｏｔｗｅａｒ，ｈｅａｄｇｅａｒ；ｃｌｏｔｈｉｎｇ　ｆｏｒ　ｍｏｔｏｒｉｓｔｓ　ａｎｄ　ｃｙｃｌｉｓｔｓ；ｂｉｂｓ　ｎｏｔ　ｏｆ　ｐａｐｅｒ；ｈｅａｄｂａｎｄｓ　（ｃｌｏｔｈｉｎｇ）；ｂａｔｈ　ｒｏｂｅｓ；ｂａｔｈｉｎｇ　ｓｕｉｔｓ；ｂａｔｈｉｎｇ　ｃａｐｓ　ａｎｄ　ｓａｎｄａｌｓ；ｂｏａｓ　（ｎｅｃｋｌｅｔｓ）；ｂａｂｉｅｓ’　ｄｉａｐｅｒ　ｐａｎｔｓ　（ｏｆ　ｔｅｘｔｉｌｅ　ｍａｔｅｒｉａｌｓ）；ｓｃａｒｖｅｓ；ｆｏｏｔｗｅａｒ　ｆｏｒ　ｓｐｏｒｔｓ　ａｎｄ　ｂｅａｃｈ　ｓｈｏｅｓ；ｈｏｏｄｓ　（ｃｌｏｔｈｉｎｇ）；ｓｈａｗｌｓ；ｂｅｌｔｓ　（ｃｌｏｔｈｉｎｇ）；ｍｏｎｅｙ　ｂｅｌｔｓ　（ｃｌｏｔｈｉｎｇ）；ｗｅｔ　ｓｕｉｔｓ　ｆｏｒ　ｗａｔｅｒ−ｓｋｉｉｎｇ；ｎｅｃｋｔｉｅｓ；ｃｏｒｓｅｔｓ；ｍｕｆｆｌｅｒｓ；ｆｕｒ　ｓｔｏｌｅｓ；ｓｃａｒｖｅｓ；ｃａｐｓ　［ｈｅａｄｗｅａｒ］；ｃａｐｓ；ｇｌｏｖｅｓ　（ｃｌｏｔｈｉｎｇ）；ｒａｉｎｃｏａｔｓ；ｇｉｒｄｌｅｓ；ｂｏｄｙ　ｌｉｎｅｎ　［ｇａｒｍｅｎｔｓ］；ｍａｎｔｉｌｌａｓ；ｓｔｏｃｋｉｎｇｓ；ｓｏｃｋｓ；ｎｅｃｋｅｒｃｈｉｅｆｓ；ｆｕｒｓ　（ｃｌｏｔｈｉｎｇ）；ｐａｊａｍａｓ；ｓｏｌｅｓ　（ｆｏｒ　ｆｏｏｔｗｅａｒ）；ｈｅｅｌｓ；ｖｅｉｌｓ　（ｃｌｏｔｈｉｎｇ）；ｓｕｓｐｅｎｄｅｒｓ；ｃｌｏｔｈｉｎｇ　ｆｏｒ　ｇｙｍｎａｓｔｉｃｓ　ａｎｄ　ｓｐｏｒｔｓ；ｌａｙｅｔｔｅｓ　（ｂａｂｙ　ｃｌｏｔｈｉｎｇ）；ｓｈｏｕｌｄｅｒ　ｗｒａｐｓ；ｓｉｎｇｌｅｔｓ；ｍｉｔｔｅｎｓ；ｅａｒ　ｍｕｆｆｓ　（ｃｌｏｔｈｉｎｇ）；ｉｎｎｅｒ　ｓｏｌｅｓ；ｂｏｗ　ｔｉｅｓ；ｐａｒｅｕｓ；ｃｕｆｆｓ　ｆｏｒ　ｃｌｏｔｈｉｎｇ；ｄｒｅｓｓ　ｓｈｉｅｌｄｓ；ｂｅａｃｈ　ｗｅａｒ；ｏｖｅｒａｌｌｓ；ｐｏｃｋｅｔｓ　ｆｏｒ　ｃｌｏｔｈｉｎｇ；ｓｏｃｋ　ｓｕｓｐｅｎｄｅｒｓ；ｓｔｏｃｋｉｎｇ　ｓｕｓｐｅｎｄｅｒｓ；ｐｅｔｔｉｃｏａｔｓ；ｔｉｇｈｔｓ　ｏｒ　ｌｅｏｔａｒｄｓ；ａｐｒｏｎｓ　（ｃｌｏｔｈｉｎｇ）；ｈｅａｄ　ｄｒｅｓｓｅｓ　（ｈｅａｄｇｅａｒ）；ｂｅａｃｈ　ｃｌｏｔｈｅｓ；ｕｎｉｆｏｒｍｓ；ｃａｐ　ｐｅａｋｓ；ｗｏｏｄｅｎ　ｓｈｏｅｓ；ｃａｐｓ；ｇａｒｔｅｒｓ；ｃｏａｔｓ；ｅｓｐａｒｔｏ　ｓｈｏｅｓ　ｏｒ　ｓａｎｄａｌｓ；ｎｏｎ−ｓｌｉｐｐｉｎｇ　ｄｅｖｉｃｅｓ　ｆｏｒ　ｆｏｏｔｗｅａｒ；ｂａｔｈ　ｇｏｗｎｓ；ｂａｔｈ　ｓｌｉｐｐｅｒｓ；ｂｉｒｅｔｔａｓ；ｂｌｏｕｓｅｓ；ｂｏｄｙ　ｓｕｉｔｓ　（ｕｎｄｅｒｗｅａｒ）；ｂｅｒｅｔｓ；ｆｏｏｔｍｕｆｆｓ，ｎｏｔ　ｅｌｅｃｔｒｉｃａｌｌｙ　ｈｅａｔｅｄ；ｌａｃｅ　ｂｏｏｔｓ；ｂｏｏｔｓ；ｂｏｏｔ　ｕｐｐｅｒｓ；ｓｔｕｄｓ　ｆｏｒ　ｆｏｏｔｂａｌｌ　ｂｏｏｔｓ；ｈａｌｆ−ｂｏｏｔｓ；ｆｉｔｔｉｎｇｓ　ｏｆ　ｍｅｔａｌ　ｆｏｒ　ｆｏｏｔｗｅａｒ；ｔｉｐｓ　ｆｏｒ　ｆｏｏｔｗｅａｒ；ｗｅｌｔｓ　ｆｏｒ　ｆｏｏｔｗｅａｒ；ｈｅｅｌｐｉｅｃｅｓ　ｆｏｒ　ｆｏｏｔｗｅａｒ；ｐａｎｔｓ；ｓｈｉｒｔｓ；ｓｈｉｒｔ　ｙｏｋｅｓ；ｍａｎｔｉｌｌａｓ；ｔｅｅ−ｓｈｉｒｔｓ；ｔｅｅ−ｓｈｉｒｔｓ　（ｓｈｏｒｔ−ｓｌｅｅｖｅｄ）；ｂｏｄｉｃｅｓ；ｖｅｓｔｓ；ｊａｃｋｅｔｓ；ｆｉｓｈｉｎｇ　ｖｅｓｔｓ；ｓｔｕｆｆ　ｊａｃｋｅｔｓ；ｃｏｍｂｉｎａｔｉｏｎｓ　（ｃｌｏｔｈｉｎｇ）；ｓｌｉｐｓ　（ｕｎｄｅｒｗｅａｒ）；ｒｅａｄｙ−ｍａｄｅ　ｃｌｏｔｈｉｎｇ；ｄｅｔａｃｈａｂｌｅ　ｃｏｌｌａｒｓ；ｃｌｏｔｈｉｎｇ　ｏｆ　ｌｅａｔｈｅｒ；ｃｌｏｔｈｉｎｇ　ｏｆ　ｉｍｉｔａｔｉｏｎ　ｌｅａｔｈｅｒ；ｓｈｏｗｅｒ　ｃａｐｓ；ｓｌｉｐｐｅｒｓ；ｓｋｉｒｔｓ；ｔｒｏｕｓｅｒｓ；ｒｅａｄｙ−ｍａｄｅ　ｌｉｎｉｎｇｓ　（ｐａｒｔｓ　ｏｆ　ｃｌｏｔｈｉｎｇ）；ｏｖｅｒｃｏａｔｓ　（ｃｌｏｔｈｉｎｇ）；ｇａｂａｒｄｉｎｅｓ　（ｃｌｏｔｈｉｎｇ）；ｇｙｍｎａｓｔｉｃ　ｓｈｏｅｓ；ｊｅｒｓｅｙｓ　（ｃｌｏｔｈｉｎｇ）；ｐｕｌｌｏｖｅｒｓ；ｓｗｅａｔｅｒｓ；ｌｉｖｅｒｉｅｓ；ｍｕｆｆｓ　（ｆｏｒ　ｃｌｏｔｈｉｎｇ）；ｆｏｏｔｗｅａｒ　ｕｐｐｅｒｓ；ｐｏｃｋｅｔ　ｓｑｕａｒｅｓ；ｐａｒｋａｓ；ｐｅｌｅｒｉｎｅｓ；ｐｅｌｉｓｓｅｓ；ｓｐａｔｓ；ｓｐａｔｓ　（ｌｅｇ　ｐｒｏｔｅｃｔｏｒｓ）；ｋｎｉｔｗｅａｒ；ｋｎｉｔｔｅｄ　ｃｌｏｔｈｉｎｇ；ｃｌｏｔｈｉｎｇ　ｆｏｒ　ｇｙｍｎａｓｔｉｃｓ；ｏｕｔｅｒｃｌｏｔｈｉｎｇ；ｕｎｄｅｒｗｅａｒ；ｓａｎｄａｌｓ；ｓａｒｉｓ；ｕｎｄｅｒｐａｎｔｓ；ｈａｔｓ；ｔｏｑｕｅｓ；ｔｏｇａｓ；ｇａｉｔｅｒ　ｓｔｒａｐｓ；ｓｕｉｔｓ；ｔｕｒｂａｎｓ；ｃｌｏｔｈｉｎｇ　（ｇａｒｍｅｎｔｓ）；ｃｌｏｔｈｉｎｇ；ｓｌｉｐｐｅｒｓ；ｓｈｏｅｓ；ｓｐｏｒｔ　ｓｈｏｅｓ．」と補正されたものである。
２　原査定の拒絶の理由の要点
　原査定は、「本願商標は、『Ｚ１９７５』の文字を普通に用いられる方法で表してなるところ、このような欧文字と数字の組合せは、取引上、商品の品番又は型番を表す記号又は符号として一般に採択、使用されるものであり、実際に、通信販売のカタログやインターネットサイト、商品タグ等において広く使用されていることは、公知の事実といえる。また、本願商標は、文字の形や組合せ方法に特徴があるとはいい難いことから、これに接する需要者は、これを、取引上、一般に使用されている品番等を表したものと認識するにとどまるというのが相当である。そうすると、本願商標は、極めて簡単で、かつ、ありふれた標章のみからなる商標であるといわざるを得ず、商標法第３条第１項第５号に該当する。」旨認定、判断し、本願を拒絶したものである。
３　当審の判断
　（１）商標法第３条第１項第５号該当性について
　本願商標は、前記１のとおり、「Ｚ１９７５」の欧文字及び数字の組合せを普通に用いられる方法をもって表してなるものであるところ、欧文字と数字との組合せからなる標章は、例えば、本願の指定商品中に含まれる第３類「ｃｏｓｍｅｔｉｃ　ｃｒｅａｍｓ」や第２５類「ｃｌｏｔｈｉｎｇ，ｆｏｏｔｗｅａｒ」等の分野においては、別掲（１）ないし（１１）に示すように、商品管理の便宜のための型番、品番等を表す記号、符号等として、取引上、一般に広く採用されているのが実情である。
　そうすると、本願商標をその指定商品について使用した場合、これに接する取引者、需要者は、これを上記一般に広く採用されている記号、符号等の一類型として認識するにとどまるとみるのが相当である。
　してみれば、本願商標は、極めて簡単で、かつ、ありふれた標章のみからなる商標というべきであって、商標法第３条第１項第５号に該当する。
　（２）請求人の主張について
　請求人は、本願商標について、請求人が世界各国で展開するファッションブランドである「ＺＡＲＡ」の頭文字と同ブランドショップの第１号店をオープンした年「１９７５」とを結合させて独自に創出した造語であり、商品の品番、型式等を表示する記号、符号として類型的に使用されるような任意のアルファベット文字と数字とを結合させてなるものではない旨主張し、甲第１号証ないし甲第３号証及び甲第１２号証ないし甲第１５号証を提出しているが、請求人の提出に係る甲各号証によっては、同人の製造、販売に係る「デニムパンツ」及び「デニムシャツ」について、「Ｚ１９７５」の標章が使用されていることをうかがえるにすぎず、その使用に係る具体的な開始時期、期間及び地域、生産及び販売の数量及び売上高、広告宣伝の方法、回数及び内容等は一切明らかでないから、これをもって、本願商標が請求人の主張するような造語ないしブランド名等として、我が国の需要者の間に広く認識されているとはいうことができない。
　また、請求人は、既に世界各国で本願商標を使用した商品を展開しており、スペイン、中国、ペルー、パナマ、アンドラ、ドミニカ、メキシコ、レバノン、オーストラリア、ヨーロッパ共同体等で本願商標が登録されていることなどからすれば、本願商標は現に自他商品の識別標識として機能しているものであり、保護されるべき実態が備わっているものである旨主張し、甲第４号証ないし甲第１１号証を提出しているが、諸外国と我が国の商標保護に関する法制は、細部においては自ずと異なるものであるから、本願商標の登録の適否は、専ら我が国商標法の下において判断されるべきものであって、諸外国における登録状況等の事情をもって、上記（１）においてした本件判断が左右されるべきではない。
　してみれば、上記請求人の主張は、いずれも採用することができない。
　（３）まとめ
　以上によれば、本願商標は、商標法第３条第１項第５号に該当し、登録することができない。
　よって、結論のとおり審決する。